(57)【特許請求の範囲】
【請求項１】
内部に膨張体を収納する金属製のケースと、該ケースに膨張体を着脱可能に固定する留め具とを備えた膨張体用固定装置であって、
前記ケースは、一方の側壁にヒンジ部を有すると共に、他方の側壁に係止部を有し、
前記留め具は、両端部に前記ケースの前記ヒンジ部に回動可能に取付けられるヒンジアームをそれぞれ有し、中央部に前記ケースの前記係止部に係止される係止アームを有し、それぞれの前記ヒンジアームおよび前記係止アーム間に前記膨張体を前記ケースに圧接し得る押さえアームを有し、前記押さえアームと前記係止アームとの間に折り曲げ形成され前記押さえアームと前記係止アームとの間に複数連設されたクランク部を有して、一本の線状体により前記膨張体の膨張を吸収し得るよう折り曲げ形成されてなり、該留め具は、前記ケースに対し着脱可能に取付けられていることを特徴とする膨張体用固定装置。
【請求項２】
前記膨張体は、光通信用の端末装置に使用されるバッテリーであることを特徴とする請求項１記載の膨張体用固定装置。
【請求項３】
前記係止部は、前記他方の側壁の一部に、外部に向かって略水平に突出させてなることを特徴とする請求項１または２記載の膨張体用固定装置。
【発明の詳細な説明】
【０００１】
【発明の属する技術分野】
本発明は膨張体用固定装置に係り、さらに詳しくは、使用されているとき、全体的に次第に膨張する膨張体を、そのままケースに固定しておくのに好適な膨張体用固定装置に関するものである。
【０００２】
【従来の技術】
使用されているとき、全体的に次第に膨張する膨張体として、例えばバッテリー等がある。このような膨張体用固定装置としては、種々のものが提案されて実用に供されており、例えば図７および図８に示す技術のものがある。
【０００３】
図７に示す膨張体用固定装置は、コ字状に折り曲げられたケース１内に膨張体としてのバッテリー３が収容されたとき、ケース１の開口部に取付けられているバンド２が、バッテリー３の上部を止めることにより、バッテリー３をケース１に固定するようになっている。
バンド２は、例えばベリクロ係合テープのような材質で構成され、その両端部がケース１の開口部にリベット（図示せず）等によって止着されている。そして、ケース１およびバンド２間にバッテリー３が取付けられて使用されたとき、その熱によってバッテリー３が膨張すると、それに応じてバンド２が追従するように緊張するようになっている。
【０００４】
図８に示す膨張体用固定装置は、ケース４が合成樹脂によってコの字状に形成されており、そのケース４内にバッテリー３を収納したとき、ケース４の開口周縁部に一体に設けられた四カ所の係止爪４ａが、バッテリー３を係止することにより、バッテリー３を固定できるようになっている。そして、使用時、バッテリー３が膨張すると、その膨張に伴ってケース４が自身の弾性力で伸びることにより、バッテリー３の膨張に拘わることなくケース４内にバッテリー３を固定しておくことができるようになっている。
【０００５】
【発明が解決しようとする課題】
ところで、光通信用の端末装置（ＯＮＵ）に使用される膨張体としてのバッテリーは、ノートパソコン，ワードプロセッサ等のようなバッテリーに比較すると、消費電力および発熱量が大きいので、膨張力が全体的に大きなものである。そのため、端末装置に備えられている膨張体用固定装置は、バッテリーの膨張力に拘わらずしっかりと安定した状態で固定しておくことが要請されている。
【０００６】
しかしながら、図７に示す従来技術は、バッテリー３が、ケース１に取付けられたバンド２によって固定するようにしているので、バンド２では、バッテリー３の膨張力に対しある程度対応できるものの、膨張するまえの時点でケース１を安定した状態に取付けておくことが難しく、バッテリー３が緩い状態に取付けられてしまうので、バッテリー３がケース１から外れてしまう不具合があった。
しかも、バンド２は、ケース１に対し予めリベットによって止着されているので、固定装置としてそれだけ部品点数および製作工数がかさんでしまい、コスト高を招く不具合もあった。
【０００７】
一方、図８に示す従来技術では、ケース４が合成樹脂で形成されているので、ケース４を形成するのに金型を製作する必要があるので、それだけコストおよび労力が嵩んでしまうばかりでなく、専用品となってしまうことから、多品種少量生産の固定装置には適さないという問題があった。しかも、合成樹脂製のケース４では、上述したように膨張力の大きなバッテリー３に対処しきれないこと場合もあった。
【０００８】
さらに、上記以外の従来技術として図示していないが、例えば、バッテリーの膨張を加味してスポンジ，ゴム等のような弾性を有する部材を用いることが考えられるものの、その部材とケースとの取付部品が必要となってしまう結果、図７に示す従来技術と同様の問題がある。
またさらに、直線的な針金等を用いることによってバッテリーを固定することも考えられるものの、針金では非常に剛性の弱いもの（線径の細い）でないと曲げることができないので、剛性の弱い針金を用いる必要がある。しかしながら、剛性の弱い針金では、バッテリーの着脱に際し針金の弾性領域を超えてしまうので、バッテリーを着脱させることができなくなってしまうばかりでなく、わずかな衝撃力でバッテリーが簡単に外れてしまうおそれがあった。
【０００９】
本発明は、上記従来技術の問題点に鑑み、膨張体の膨張の如何に拘わることなく、膨張体を確実に安定した状態で固定しておくことができ、しかも安価に製作できる膨張体用固定装置を提供することを課題とする。
【００１０】
【課題を解決するための手段】
上記課題を解決するために本発明にかかる膨張体用固定装置は、内部に膨張体を収納する金属製のケースと、該ケースに膨張体を着脱可能に固定する留め具とを備えた膨張体用固定装置であって、前記ケースは、一方の側壁にヒンジ部を有すると共に、他方の側壁に係止部を有し、前記留め具は、両端部に前記ケースの前記ヒンジ部に回動可能に取付けられるヒンジアームをそれぞれ有し、中央部に前記ケースの前記係止部に係止される係止アームを有し、それぞれの前記ヒンジアームおよび前記係止アーム間に前記膨張体を前記ケースに圧接し得る押さえアームを有し、前記押さえアームと前記係止アームとの間に折り曲げ形成され前記押さえアームと前記係止アームとの間に複数連設されたクランク部を有して、一本の線状体により前記膨張体の膨張を吸収し得るよう折り曲げ形成されてなり、該留め具は、前記ケースに対し着脱可能に取付けられていることを特徴とする。
請求項２にかかる膨張体用固定装置は、請求項１において、前記膨張体は、光通信用の端末装置に使用されるバッテリーであることを特徴とする。
請求項３にかかる膨張体用固定装置は、請求項１または２において、前記係止部は、前記他方の側壁の一部に、外部に向かって略水平に突出させてなることを特徴とする。
【００１１】
【発明の実施の形態】
以下、本発明の実施の形態を図１〜図６に基づいて説明する。図１〜図５は本発明による固定装置の一実施形態を示している。
本実施形態の膨張体用固定装置１０は、図１に示すように、内部に膨張体としてのバッテリー３０を収納するケース１１と、ケース１１にバッテリー３０を着脱可能に取付ける留め具２０とを備えて構成されている。
【００１２】
この膨張体用固定装置１０を説明する前に、本例で取り扱うバッテリー３０について述べると、このバッテリー３０は、例えば光通信用の端末装置（ＯＮＵ）に使用される箱形形状のものであって、消費電力が大きく、かつ使用されると熱によって全体的に大きく膨張するようになっている。したがって、本実施形態の固定装置は、バッテリー３０が膨張しない状態では勿論、膨張してもバッテリー３０を常に安定した状態で取付けておくことができるようになっている。
【００１３】
そして、膨張体用固定装置１０のケース１１は、図１に示すように、金属板を折曲加工することによってコ字状に形成されている。ケース１１の一方の側壁１２には、留め具２０を回動可能に取付けるヒンジ部１４が適度の間隔をもって形成されている。
【００１４】
このヒンジ部１４は、ケース１１の側壁１２の両側の一部を外部側方に向かうように折り曲げて第１折り曲げ片１４ａを形成する一方、その折り曲げ片１４ａと隣接する一部を外部側方に若干折り曲げると共に、その先端を上方に向かうように起立させて起立片１４ｂを形成し、さらに、起立片１４ｂと隣接する一部を前記折り曲げ片１４ａと同様に折り曲げることによって第２折り曲げ片１４ｃを形成している。したがって、これら第１，第２折り曲げ片１４ａ，１４ｃと起立片１４ｂとがケース１１の側縁１２に二組設けられることにより、ヒンジ部１４が形成されている。
【００１５】
また、ケース１１において側壁１２と対向する他方の側壁１３には、図１に示すように、係止部１５が設けられている。この係止部１５は、側壁１３の一部の端縁部を略水平に沿い側壁１３寄りの外部側方に折り曲げて突出させることにより形成されている。なお、側壁１３において、係止部１５と係止部１５との間には矩形状に切り除かれた切欠１６が設けられている。
【００１６】
さらに、側壁１３において各係止部１５より外寄りの位置にはその側壁１３の一部を切り除いてガイド切欠１７がそれぞれ形成されている。このガイド切欠１７は後述する留め具２０を挿通し得る程度の幅をもっている。
【００１７】
一方、留め具２０は、図１〜図３に示すように、適宜の線径を有する一本の針金で構成された線状体であって、その両側にケース１１のヒンジ部１４に回動可能に取付けられるヒンジアーム２１と、中央部にケース１１の係止部１５に係止される係止アーム２２とを有している。
【００１８】
ヒンジアーム２１は、留め具２０の両側にケース１１の各ヒンジ部１４の第２折り曲げ片１４ｃから起立片１４ｂを経て第１折り曲げ片１４ａに挿入し得るよう形成されている。
係止アーム２２は、ケース１１の係止部１５に引き掛けることによって係止されるものであり、各ヒンジアーム２１と２１との間の中央部にヒンジアーム２１と平行に折り曲げて形成されている。
【００１９】
留め具２０についてさらに詳細に述べると、この留め具２０は、ヒンジアーム２１および係止アーム２２間にバッテリー３０をケース１１に圧接し得る押さえアーム２３を有すると共に、その押さえアーム２３と係止アーム２２との間に折り返しアーム２４，クランクアーム２５および後部アーム２６からなるクランク部を有している。
【００２０】
押さえアーム２３は、図４に示すように、バッテリー３０の上面３１をケース１１内に圧接するためのものであって、ヒンジアーム２１および係止アーム２２の間に、ヒンジアーム２１の内側端部に延長して形成されることにより、それらヒンジアーム２１，係止アーム２２と直交する方向に設けられている。
折り返しアーム２４は押さえアーム２３の内側端部に延長形成され、クランクアーム２５は折り返しアーム２４の内側端部に延長形成され、後部アーム２６は折り返しアーム２４と係止アーム２２とを連結している。そして、これら折り返しアーム２４，クランクアーム２５，後部アーム２６によりクランク部を構成している。
【００２１】
この留め具２０は、ケース１１内にバッテリー３０が収納された状態にあるとき、図４に示すように、ヒンジアーム２１の先端側をケース１１のヒンジ部１４の第２折り曲げ片１４ｃ，起立片１４ｂ，第１折り曲げ片１４ａ間に挿入することによって各ヒンジアーム２１を中心としてケース１１に回動可能に取付けられ、その状態にあるとき、中央部の係止アーム２２をケース１１側に倒して係止部１５，１５に係止することによってバッテリー３０をケース１１に取付けることができるようになっている。
【００２２】
その際、留め具２０の押さえアーム２３がバッテリー３０の上面３１を弾性力で押さえると共に、それに伴って変形する力が各アーム２１〜２６によって吸収緩和されることにより、バッテリー３０をケース１１に対し安定した状態で固定させ、しかも、バッテリー３０が膨張した場合であっても、同様の作用がいっそう強く生じることにより、バッテリー３０の固定を行えるようになっている。
【００２３】
本実施形態の膨張体用固定装置１０を取り扱うには、まず、ケース１１の側壁１２のヒンジ部１４に留め具２０を取付ける。この場合、留め具２０の取付けに際しては、留め具２０の両ヒンジアーム２１間の間隔を狭めるように押圧し、その状態にて両ヒンジアーム２１の先端部をケース１１の各ヒンジ部１４の第２折り曲げ片１４ｃから起立片１４ｂを経て第１折り曲げ片１４ａに挿入して釈放することにより、留め具２０が両ヒンジアーム２１を中心としてケース１１に回動可能に取付けられる。
【００２４】
このようにしてケース１１に留め具２０を取付けたとき、留め具２０を回動させてケース１１に対し開いた状態にしておき、その状態でケース１１にバッテリー３０を収納させた後、留め具２０を、ケース１１側に回動させて留め具２０の係止アーム２２がケース１１の両係止部１５，１５の下をかいくぐる位置まで動かし、両係止部１５，１５の下に係止アーム２２を引き掛けた時点で係止アーム２２を釈放することにより、係止部１５に係止アーム２２が係止される。これにより、バッテリー３０が留め具２０によってケース１１に取付けられることとなる。
【００２５】
このようにしてケース１１にバッテリー３０が取付けられて、かつそのバッテリー３０が使用されると、バッテリー３０は、消費電力が大きく、また全体的にかなり膨張してしまうことから、留め具２０がケース１１から外れるおそれがある。
しかしながら、留め具２０は、前述したように線状体を折曲げ加工することによって形成されているので、留め具２０の各アーム部に曲げ力およびねじれ力が作用することにより、バッテリー３０の膨張を吸収することができる。
【００２６】
即ち、留め具２０は、ケース１１にバッテリー３０を取付けている状態にあるとき、図５に示す矢印のように、係止アーム２２に下方に向かう曲げ力（それと反対方向の反力も含む）Ｆ４１が作用すると共に、係止アーム２２および後部アーム２６間に両者を引き離す方向に曲げ力Ｆ４２が作用し、またその曲げ力Ｆ４２と同様に、後部アーム２６およびクランクアーム２５間の曲げ力Ｆ４３と、クランクアーム２５および折り返しアーム２４間の曲げ力Ｆ４４と、折り返しアーム２４および押さえアーム２３間の曲げ力Ｆ４５と、押さえアーム２３およびヒンジアーム２１間の曲げ力Ｆ４６とがそれぞれ作用する。
【００２７】
また、留め具２０は、押さえアーム２３に図５に示す矢印のようにねじれ力Ｆ５１が作用するばかりでなく、折り返しアーム２４，クランクアーム２５，後部アーム２６自体にもねじれ力Ｆ５２〜５４がそれぞれ作用する。
【００２８】
つまり、留め具２０は、ケース１１内にバッテリー３０を取付けたとき、これを構成する各アームおよび各アーム部間に曲げ力とねじれ力とが図５に示す矢印のように作用して変形し、しかもバッテリー３０が膨張すると、それらの曲げ力とねじれ力がさらにいっそう強く作用して変形するので、その変形によりバッテリー３０の膨張を確実に吸収することができる。
そのため、バッテリー３０が膨張する前は勿論、大きく膨張しても、バッテリー３０をケース１１に対し安定した状態でしっかりと固定させておくことができる。
【００２９】
また、留め具２０が針金のような線状体を折曲加工することによって形成しているので、特別な設備投資が不要となり、安価に製作することができる。それに加え、ケース１１の一側壁に形成されたヒンジ部１４に留め具２０のヒンジアーム部２１を挿入することによって回動可能に取付けるので、図７に示す従来技術のようにリベットによってバンドをケースに取付けるものに比較すると、留め具２０の取付けが簡単となるばかりでなく、取付部品を必要としないので、装置として部品点数および組み付け工数を低減することができ、コストのいっそうの低廉化を図ることもできる。
【００３０】
さらに、留め具２０は、線状体の折曲加工によりヒンジアーム２１と係止アーム２２とを有して形成されるので、ケース１１に対して確実に取付け，取り外すことができる。
しかも、ヒンジアーム２１および係止アーム２２間に設けられた押さえアーム２３によって、ケース１１内にバッテリー３０の上面３１を圧接させておくことができるので、バッテリー３０が膨張するにも拘わらず的確にバッテリー３０を固定しておくことができる。
その上、押さえアーム２３と係止アーム２２との間にクランク部としての折り返しアーム２４，クランクアーム２５，後部アーム２６が設けられ、これらからなるクランク部がヒンジアーム２１および係止アーム２２と協働して曲げ力Ｆ４１〜Ｆ４６，ねじれ力Ｆ５１〜Ｆ５４を生じることにより、バッテリー３０の膨張力を吸収緩和することができる。またさらに、ケース側壁１３に設けられたガイド切欠１７に押さえアーム２３をガイドさせて挿通するので、バッテリー３０の上面３１を確実に押さえ、バッテリー３０をケース１１に的確に圧接させておくことができる。
【００３１】
図６は本発明による固定装置の他の実施形態を示している。
この実施形態において、前述した一実施形態と異なるのは、留め具２０の押さえアーム２３と係止アーム２２との間に、それぞれ二個のクランク部が連設された点にある。
即ち、留め具２０は、押さえアーム２３のヒンジアーム２１側と反対の端部に、折り返しアーム２４，クランクアーム２５，後部アーム２６からなるクランク部が形成されると共に、その後部アーム２６と係止アーム２２との間に折り返しアーム２４′，クランクアーム２５′，後部アーム２６′からなるクランク部が形成されている。その場合、後部アーム２６と折り返しアーム２４′との間に連結アーム２７が設けられ、この連結アーム２７によって前記各アーム２４〜２６と２４′〜２６′とからなる二個のクランク部が連設されている。
【００３２】
したがって、押さえアーム２３と係止アーム２２との間に、二つのクランク部が連設され、これによって各アームに図５にて示した曲げ力，ねじれ力と同様の力が作用することにより、バッテリー３０を膨張の如何に拘わることなくケース１１に固定しておくことができる。
【００３３】
なお、図示実施形態では、バッテリー３０として箱形形状でかつ２００ｇ程度の重さからなるものを用いた場合、線径が約１ｍｍの針金を用いることにより、前述した特有の作用効果を得た例を示したが、例えば、それよりかなり太い線径の針金を用いると、剛性が大き過ぎて弾性力が発生せず、またそれよりかなり細い線径では剛性力，弾性力が作用しない場合があるので、これに限らず、バッテリー３０の仕様によっては線径の大きさを適宜選定すればよく、図示実施形態に限定されるものではない。
また、膨張体としてバッテリー３０を用いたが、それ以外の膨張体にも同様に適用することができる。
【００３４】
【発明の効果】
以上説明したように、本発明によれば、ケース内に留め具によって取付けられた膨張体が膨張したとき、留め具が弾性変形することによって膨張体の膨張を確実に吸収するように構成したので、膨張体の膨張の如何に拘わることなく膨張体をケースに対し確実に安定した状態で取付けておくことができる。
【図面の簡単な説明】
【図１】本発明による膨張体用固定装置の一実施形態を示す分解斜視図である。
【図２】膨張体用固定装置の留め具を示す全体斜視図である。
【図３】同じく膨張体用固定装置の留め具を示す平面図（ａ），正面図（ｂ）および側面図（ｃ）である。
【図４】膨張体用固定装置に膨張体としてのバッテリーを取付けた状態を示す斜視図である。
【図５】バッテリーを取付けたときの留め具の作用状態を示す破断説明図である。
【図６】本発明による膨張体用固定装置の他の実施形態を示す留め具の全体斜視図である。
【図７】従来の膨張体用固定装置の一構成例を示す斜視図である。
【図８】同じく従来の膨張体用固定装置の他の構成例を示す斜視図である。
【符号の説明】
１０  膨張体用固定装置
１１  ケース
１２，１３  側壁
１４  ヒンジ部
１４ａ  第１折り曲げ片
１４ｂ  起立片
１４ｃ  第２折り曲げ片
１５  係止部
１６  切欠
１７  ガイド切欠
２０  留め具
２１  ヒンジアーム
２２  係止アーム
２３  押さえアーム
２４，２４′  折り返しアーム
２５，２５′  クランクアーム
２６，２６′  後部アーム
２７  連結アーム
３０  膨張体としてのバッテリー
３１  上面
Ｆ４１〜Ｆ４６  曲げ力
Ｆ５１〜Ｆ５４  ねじれ力
【図１】
0003709354.tif 000002
【図２】
0003709354.tif 000003
【図３】
0003709354.tif 000004
【図４】
0003709354.tif 000005
【図５】
0003709354.tif 000006
【図６】
0003709354.tif 000007
【図７】
0003709354.tif 000008
【図８】
0003709354.tif 000009